【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンであって、
表示結果が導出される前に、第１入賞及び第２入賞を含む複数種類の入賞について発生を許容するか否かを決定する事前決定手段と、
遊技者にとって有利な有利状態に移行させるか否かを決定する有利状態決定手段と、
遊技者が表示結果を導出させるために操作する導出操作手段と、
前記導出操作手段が操作されたときに、予め定められた引込範囲内の表示結果を導出する制御を行う導出制御手段と、
遊技者により操作される操作手段と、
前記操作手段が所定の操作状態で操作されたことを契機として、遊技者にとって有利となる可能性を複数段階に演出態様を変化させて報知する報知演出を表示手段において画像を表示することにより実行させる報知演出実行手段と、
を備え、
前記事前決定手段は、
同一ゲームにおける決定対象として、少なくとも前記第１入賞の発生を許容する旨の決定である第１の決定と、少なくとも前記第１入賞の発生を許容する旨の決定及び前記第２の入賞の発生を許容する旨の決定である第２の決定を行うことが可能であり、
前記事前決定手段により前記第１の決定がなされ且つ前記有利状態決定手段により前記有利状態に移行させる旨が決定されない第１の確率と前記事前決定手段により前記第１の決定がなされ且つ前記有利状態決定手段により前記有利状態に移行させる旨が決定される第２の確率との合算確率に占める前記第２の確率の比率、前記事前決定手段により前記第２の決定がなされ且つ前記有利状態決定手段により前記有利状態に移行させる旨が決定されない第３の確率と前記事前決定手段により前記第２の決定がなされ且つ前記有利状態決定手段により前記有利状態に移行させる旨が決定される第４の確率との合算確率に占める前記第４の確率の比率のうち一方が他方の比率よりも高くなる確率で前記有利状態決定手段が前記有利状態に移行させるか否かを決定し、
前記導出制御手段は、
前記第１の決定がなされたときに、前記複数の可変表示部に跨る複数のラインのうち第１のラインに特定の組み合わせを構成する識別情報が停止する第１の表示結果及び前記複数のラインのうち第２のラインに前記特定の組み合わせを構成する識別情報が停止する第２の表示結果のうち前記第１の表示結果及び前記第２の表示結果の双方を前記引込範囲内で導出可能な場合に前記第１の表示結果を導出する制御を行い、
前記第２の決定がなされたときに、前記第１の表示結果及び前記第２の表示結果の双方を前記引込範囲内で導出可能な場合に前記第２の表示結果を導出する制御を行う
ことを特徴とするスロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００１
【補正方法】変更
【補正の内容】
【０００１】
本発明は、スロットマシンに関する。
【手続補正４】
【補正対象書類名】明細書
【補正対象項目名】０００２
【補正方法】変更
【補正の内容】
【０００２】
スロットマシンやパチンコ遊技機などの遊技機においては、所定の事象の発生を契機として遊技者にとって有利な状態に制御するか否かを決定する抽選を行い、その抽選結果に応じて遊技者にとって有利な状態に制御するものとしている。例えば、スロットマシンにおいては、スタートレバーの操作を契機として各種入賞の発生を許容するか否かを決定する内部抽選を行っており、この内部抽選の結果としてボーナス当選すると、遊技者に非常に有利な遊技状態であるボーナスの発生が可能な遊技者にとって有利な状態となる。
【手続補正５】
【補正対象書類名】明細書
【補正対象項目名】０００３
【補正方法】削除
【補正の内容】
【手続補正６】
【補正対象書類名】明細書
【補正対象項目名】０００４
【補正方法】変更
【補正の内容】
【０００４】
スロットマシンやパチンコ遊技機で遊技を行っている遊技者は、このような遊技者にとって有利な状態とするか否かを決定する抽選に当選することに対する期待感を持っている。そこで、この遊技者の持つ期待感を効果的に高めさせ、遊技の興趣を向上させるため、スロットマシンやパチンコ遊技機における抽選の結果が示されるまでに、抽選の結果により遊技者にとって有利な状態となることが決定されている可能性を示す演出を行うものとなっている。
【手続補正７】
【補正対象書類名】明細書
【補正対象項目名】０００５
【補正方法】変更
【補正の内容】
【０００５】
例えば、スロットマシンでは、液晶表示器などの演出手段において行う演出で、ボーナスの内部当選状況の報知（ボーナス当選を確定的に示す告知、及びボーナス当選の可能性があることを示す予告を含む）を行うものとなっている。また、複数のリールで構成される可変表示装置に導出されるリーチ目やチャンス目によっても内部当選状況の報知を行うようになっている（例えば、特許文献１参照）。
【手続補正８】
【補正対象書類名】明細書
【補正対象項目名】０００６
【補正方法】削除
【補正の内容】
【手続補正９】
【補正対象書類名】明細書
【補正対象項目名】０００７
【補正方法】変更
【補正の内容】
【０００７】
【特許文献１】特開２００７−２８２７１４号公報
【手続補正１０】
【補正対象書類名】明細書
【補正対象項目名】０００８
【補正方法】削除
【補正の内容】
【手続補正１１】
【補正対象書類名】明細書
【補正対象項目名】０００９
【補正方法】削除
【補正の内容】
【手続補正１２】
【補正対象書類名】明細書
【補正対象項目名】００１０
【補正方法】変更
【補正の内容】
【００１０】
本発明は、遊技の興趣を向上させることのできるスロットマシンを提供することを目的とする。
【手続補正１３】
【補正対象書類名】明細書
【補正対象項目名】００１１
【補正方法】変更
【補正の内容】
【００１１】
上記目的を達成するため、本発明にかかるスロットマシンは、
各々が識別可能な複数種類の識別情報を変動表示可能な可変表示部（リール３Ｌ、３Ｃ、Ｒ）を複数備え、
前記可変表示部を変動表示した後、前記可変表示部の変動表示を停止することで表示結果を導出し、複数の可変表示部の表示結果の組合せに応じて入賞が発生可能なスロットマシン（スロットマシン１）であって、
表示結果が導出される前に、第１入賞及び第２入賞を含む複数種類の入賞について発生を許容するか否かを決定する事前決定手段（ＣＰＵ１１１：図５（ｂ））と、
遊技者にとって有利な有利状態（ビッグボーナス（Ａ）〜（Ｃ）、レギュラーボーナスの当選）に移行させるか否かを決定する有利状態決定手段（ＣＰＵ１１１（内部抽選））と、
遊技者が表示結果を導出させるために操作する導出操作手段（停止ボタン１２Ｌ、１２Ｃ、１２Ｒ）と、
前記導出操作手段が操作されたときに、予め定められた引込範囲内の表示結果を導出する制御を行う導出制御手段（ＣＰＵ１１１）と、
遊技者により操作される操作手段（停止ボタン１２Ｌ、１２Ｃ、１２Ｒのうちの第３停止ボタン）と、
前記操作手段が所定の操作状態で操作されたことを契機として、遊技者にとって有利となる可能性を複数段階に演出態様を変化させて報知する報知演出（当選報知演出の最終段階の演出）を表示手段（液晶表示器４）において画像を表示することにより実行させる報知演出実行手段（ＣＰＵ１２１：第３停止ボタンが操作されると最終段階に移行）と、
を備え、
前記事前決定手段は、
同一ゲームにおける決定対象として、少なくとも前記第１入賞の発生を許容する旨の決定である第１の決定と、少なくとも前記第１入賞の発生を許容する旨の決定及び前記第２の入賞の発生を許容する旨の決定である第２の決定を行うことが可能であり、
前記事前決定手段により前記第１の決定がなされ且つ前記有利状態決定手段により前記有利状態に移行させる旨が決定されない第１の確率と前記事前決定手段により前記第１の決定がなされ且つ前記有利状態決定手段により前記有利状態に移行させる旨が決定される第２の確率との合算確率に占める前記第２の確率の比率、前記事前決定手段により前記第２の決定がなされ且つ前記有利状態決定手段により前記有利状態に移行させる旨が決定されない第３の確率と前記事前決定手段により前記第２の決定がなされ且つ前記有利状態決定手段により前記有利状態に移行させる旨が決定される第４の確率との合算確率に占める前記第４の確率の比率のうち一方が他方の比率よりも高くなる確率で前記有利状態決定手段が前記有利状態に移行させるか否かを決定し、
前記導出制御手段は、
前記第１の決定がなされたときに、前記複数の可変表示部に跨る複数のラインのうち第１のラインに特定の組み合わせを構成する識別情報が停止する第１の表示結果及び前記複数のラインのうち第２のラインに前記特定の組み合わせを構成する識別情報が停止する第２の表示結果のうち前記第１の表示結果及び前記第２の表示結果の双方を前記引込範囲内で導出可能な場合に前記第１の表示結果を導出する制御を行い、
前記第２の決定がなされたときに、前記第１の表示結果及び前記第２の表示結果の双方を前記引込範囲内で導出可能な場合に前記第２の表示結果を導出する制御を行う
ことを特徴とする。
【手続補正１４】
【補正対象書類名】明細書
【補正対象項目名】００１２
【補正方法】変更
【補正の内容】
【００１２】
本発明にかかる第２のスロットマシンは、上記スロットマシンにおいて、
前記報知演出の演出態様を変化させるために参照される態様変化情報として、各々が示す演出態様の変化が互いに異なる複数の態様変化情報を記憶した態様変化情報記憶手段（図９：発展度選択テーブル（ＲＯＭ１２３））と、
前記有利状態決定手段の決定結果に応じて、前記態様変化情報記憶手段に記憶された複数の態様変化情報のうちの何れかの態様変化情報を選択する態様変化情報選択手段（図９：発展度１〜５の選択比率がビッグボーナス（Ａ）〜（Ｃ）の当選、レギュラーボーナスの当選、ハズレによって異なる（ＣＰＵ１２１））と、
前記操作手段の操作として前記所定の操作状態が解除されたときに、前記有利状態決定手段により前記有利状態を発生させる旨が決定されたか否かを示す情報を報知する結果報知手段（第３停止ボタンの操作が解除され、最終段階の演出も終了となると、ビッグボーナス（Ａ）〜（Ｃ）、レギュラーボーナスの何れかに当選しているか否かが報知される）とをさらに備え、
前記報知演出実行手段は、
前記報知演出が実行されているときにおいて前記操作手段が前記所定の操作状態で継続して操作されている時間を計測する操作時間計測手段（ＣＰＵ１２１：第３停止ボタンの操作が継続されているときに操作開始からの経過時間を計時）と、
前記操作時間計測手段の計測している時間が予め定められた複数の態様変化時間の各々が到来する度に、前記態様変化情報選択手段により選択された態様変化情報を参照し、該参照した態様変化情報に従って前記報知演出実行手段により実行されている前記報知演出の演出態様を到来した態様変化時間に応じた段階の演出態様に変化させる演出態様変化手段（図１０：最終段階の演出が開始されてからの経過時間が所定時間となる度に選択された発展度に応じた大きさとなるまで特定物体の大きさが拡大（ＣＰＵ１２１））とを含む
ことを特徴とする。
【手続補正１５】
【補正対象書類名】明細書
【補正対象項目名】００１３
【補正方法】変更
【補正の内容】
【００１３】
上記第２のスロットマシンでは、表示手段において遊技者にとって有利状態を発生させる旨が決定された可能性を報知する報知演出が実行される。報知演出は、操作手段が所定の操作状態で操作されたことを契機として実行されるが、操作手段が所定の操作状態で操作されていれば、演出態様変化手段により報知演出の演出態様が変化させられるものとなる。つまり、遊技者は、操作手段を所定の操作状態で操作し、当該所定の操作状態を継続していればよいので、報知演出の演出態様が変化される様子を知覚するために何度も操作手段の操作を行う必要がなく、その操作に対して遊技者に煩わしさを感じさせないで済む。
また、報知演出は、遊技者が操作手段を所定の操作状態で操作していると、該所定の操作状態で操作されている時間が予め定められた態様変化時間となる度に演出態様が変化するものとなっているが、その演出態様の変化は、態様変化情報選択手段により選択された態様変化情報に従ってなされるものとなっている。態様変化情報は、決定手段の決定結果に応じて選択されるものであるため、報知演出の演出態様の変化に応じて、遊技者は、決定手段の決定結果が遊技者にとって有利状態を発生させるものとなっていることを期待できるものとなる。
【手続補正１６】
【補正対象書類名】明細書
【補正対象項目名】００１４
【補正方法】変更
【補正の内容】
【００１４】
さらに、操作手段の操作として所定の操作状態が解除されたときに結果報知手段により有利状態を発生させる旨が決定されたか否かを示す情報が報知されるものとなっているが、報知演出は、所定の操作状態が解除される直前の状態、すなわち操作手段が所定の操作状態で操作されている状態で行われるものであるため、有利状態決定手段の決定結果が分かるものとなる直前において、その決定結果がどちらかと考える遊技者の期待感を高めさせることができ、遊技の興趣を向上させることができる。
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】変更
【補正の内容】
【００１７】
上記スロットマシンにおいて、
前記操作手段は、前記導出操作手段のうちで１ゲームにおいて最後に操作される導出操作手段とすることができる。
【手続補正１９】
【補正対象書類名】明細書
【補正対象項目名】００１８
【補正方法】変更
【補正の内容】
【００１８】
この場合には、可変表示部の全てに表示結果が導出されたときにおいて報知演出が実行されることとなるので、複数の可変表示部に導出された表示結果の組合せに対して遊技者の期待感を募らせることができ、さらに遊技の興趣を向上させることができる。また、導出操作手段の操作は、全てスロットマシンにおける遊技において必要な操作であるため、報知演出の演出態様が変化される様子を知覚するための操作手段の操作が遊技の進行に必要な操作となっている（但し、必ずしも所定の操作状態を継続する必要がある訳ではない）ので、遊技者にさらに煩わしさを感じさせないで済むものとなる。
【手続補正２０】
【補正対象書類名】明細書
【補正対象項目名】００１９
【補正方法】変更
【補正の内容】
【００１９】
上記スロットマシンにおいて、
前記事前決定手段は、前記有利状態の発生として遊技者にとって有利な特別遊技状態への移行（ビッグボーナス、レギュラーボーナス）を伴う特別入賞（ビッグボーナス（Ａ）〜（Ｃ）、レギュラーボーナス）の発生を許容するか否かと該特別入賞以外の特定入賞の発生を許容するか否かを決定するとともに、前記特定入賞の発生を許容する旨を決定するときに前記特別入賞の発生を許容する旨も同時に決定する同時決定手段（図５（ｂ）：ビッグボーナス（Ａ）＋チェリー、ビッグボーナス（Ｂ）＋チェリー、ビッグボーナス（Ｃ）＋チェリー、レギュラーボーナス＋チェリー）と、前記特定入賞の発生を許容する旨を単独で決定する単独決定手段（図５（ｂ）：チェリー）とを含むものであってもよい。この場合において、
前記報知演出実行手段は、前記特定入賞の発生を許容する旨が決定されたことを条件として、前記報知演出を実行させるものとすることができる（ビッグボーナス（Ａ）〜（Ｃ）及びレギュラーボーナスの同時当選役であるチェリーおよび／またはリプレイＢに当選したときに、当選報知演出を実行する変形例）。
【手続補正２１】
【補正対象書類名】明細書
【補正対象項目名】００２０
【補正方法】変更
【補正の内容】
【００２０】
この場合、報知演出が実行されるのは特定入賞の発生を許容する旨が決定されたときであるが、特定入賞の発生を許容する旨が決定されたということは、特別入賞の発生を許容する旨が決定された可能性もあるということである。これにより、まず、操作手段が所定の操作状態で操作されたまま態様変化時間となって報知演出の演出態様が変化する前であっても報知演出が実行されたというだけで遊技者に期待感を与えることができ、さらに報知演出の演出態様の変化に応じて遊技者に期待感を与えることができるので、遊技の興趣を向上させることができる。
【手続補正２２】
【補正対象書類名】明細書
【補正対象項目名】００２１
【補正方法】変更
【補正の内容】
【００２１】
特に導出操作手段のうちで１ゲームにおいて最後に操作される導出操作手段が前記操作手段となる場合には、可変表示装置に導出された特定表示結果に対して遊技者の期待感を募らせることができ、さらに遊技の興趣を向上させることができる。
【手続補正２３】
【補正対象書類名】明細書
【補正対象項目名】００２２
【補正方法】変更
【補正の内容】
【００２２】
上記スロットマシンにおいて、
前記導出制御手段は、前記特別表示結果の導出を許容する旨が決定されているときにも決定されていないときにも、前記複数の可変表示部のうちの特定可変表示部（リール３Ｌ）に特定識別情報を停止させる特定停止手段（チェリー）を含むものであってもよい。この場合において、
前記報知演出実行手段は、前記特定可変表示部に前記特定識別情報が停止されたことを条件として、前記報知演出を実行させるものとすることができる（ビッグボーナス（Ａ）〜（Ｃ）またはレギュラーボーナスの当選、若しくはチェリーの当選によって左のリール３Ｌに「チェリー」が停止したときに当選報知演出を開始）。
【手続補正２４】
【補正対象書類名】明細書
【補正対象項目名】００２３
【補正方法】変更
【補正の内容】
【００２３】
この場合、報知演出が実行されるのは特定可変表示部に特定識別情報が停止されたときであるが、特定可変表示部に特定識別情報が停止されたということは、特別入賞の発生を許容する旨が決定された可能性もあるということである。これにより、まず、操作手段が所定の操作状態で操作されたまま態様変化時間となって報知演出の演出態様が変化する前であっても報知演出が実行されたというだけで遊技者に期待感を与えることができ、さらに報知演出の演出態様の変化に応じて遊技者に期待感を与えることができるので、遊技の興趣を向上させることができる。
【手続補正２５】
【補正対象書類名】明細書
【補正対象項目名】００２６
【補正方法】変更
【補正の内容】
【００２６】
上記スロットマシンは、
最終段階の演出の実行を終了するまでの間に遊技において所定の条件が成立する度に現在の段階から次の段階に移行するものとなる複数の段階の演出から構成される複数段階演出（第２停止ボタンの操作で第２段階に移行し、第３停止ボタンの操作で最終段階に移行する）を実行する複数段階演出実行手段（ＣＰＵ１１１）をさらに備えるものであってもよい。この場合において、
前記報知演出実行手段は、前記複数段階演出実行手段のうちの前記最終段階の演出を実行する手段によって構成されるものとすることができる。
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】０２６３
【補正方法】変更
【補正の内容】
【０２６３】
さらに、不利ＲＴに制御されることなくビッグボーナス、レギュラーボーナスまたは有利ＲＴ、若しくは通常遊技状態、特別ＲＴ、レアＲＴ１またはレアＲＴ２の間だけで遊技状態が制御されている間において有利ＲＴに制御された回数（有利ＲＴ連荘数）が５回を越え、純増総数も１０００枚を越えていると、ビッグボーナスまたはレギュラーボーナス、若しくは有利ＲＴにおいて再生出力される楽曲が、それぞれプレミアボーナス中楽曲、プレミア有利ＲＴ中楽曲に変更される。このように有利ＲＴ連荘数が５回を越えるとプレミアボーナス中楽曲、プレミア有利ＲＴ中楽曲が再生出力されることにより、有利ＲＴ連荘数が多くなった遊技者に非常な満足感を与えることができる。
【手続補正２９】
【補正対象書類名】明細書
【補正対象項目名】０２７８
【補正方法】変更
【補正の内容】
【０２７８】
また、設定値を変更することによって遊技制御基板１０１のＲＡＭ１１２が初期化されるが、リールモータ３ＭＬ、３ＭＣ、３ＭＲをそれぞれ構成するステッピングモータのステップ数をカウントするためのカウンタの値は初期化されない。このため、設定値の変更後においてもＣＰＵ１１１が把握するリールモータ３ＭＬ、３ＭＣ、３ＭＲをそれぞれ構成するステッピングモータのステップ数（ＲＡＭ１１２のカウンタでカウントされているステップ数）が実際のステップ数と異なることがなく、パルス信号の励磁相が異なってリール３Ｌ、３Ｃ、３Ｒが滑らかに回転開始できずに設定値の変更がされていることが遊技者に察知されてしまうということを防ぐことができる。
【手続補正３０】
【補正対象書類名】明細書
【補正対象項目名】０２８０
【補正方法】変更
【補正の内容】
【０２８０】
また、外部出力基板１０５は、スタートレバー１１の操作時にまとめてメダルＩＮ信号を出力するものとしている。賭け数として設定するメダルの投入の度にメダルＩＮ信号を出力するものとした場合には、精算ボタン１６の操作により既に設定した賭け数がキャンセルされると、出力したメダルＩＮ信号の取り消しが必要となってしまう。また、１枚ＢＥＴボタン１４またはＭＡＸＢＥＴボタン１５の操作によりクレジットから賭け数を設定した場合と、メダル投入口１３からメダルの現物を投入して賭け数を設定した場合とで、メダルＩＮ信号を出力するためのプログラムが別々に必要になってしまう。この実施の形態にかかるスロットマシン１のようにスタートレバー１１の操作時にまとめてメダルＩＮ信号を出力することで、このような不都合が生じるのを防ぐことができる。
【手続補正３１】
【補正対象書類名】明細書
【補正対象項目名】０３００
【補正方法】変更
【補正の内容】
【０３００】
上記の実施の形態では、当選報知演出の最終段階の演出は、第３停止ボタンの操作が継続している時間が所定時間となる度に、選択された発展度に応じて演出の実行状態を発展させるものとなっており、演出の実行状態が発展される時間間隔が等間隔になっていた。もっとも、当選報知演出の最終段階の演出の実行状態を発展させるのは、予め定められたタイミングで行うのであれば、等間隔で行うものに限らない。例えば、第３停止ボタンの操作が開始されてから３秒を経過したときに１度目の実行状態の発展を行い、さらに５秒（操作開始からは８秒）を経過したときに２度目の実行状態の発展を行い、さらに７秒（操作開始からは１５秒）を経過したときに３度目の実行状態の発展を行うものとしてもよい（但し、発展させる程度は、選択された発展度に従う）。
【手続補正３２】
【補正対象書類名】明細書
【補正対象項目名】０３６３
【補正方法】変更
【補正の内容】
【０３６３】
このような連続演出は、ビッグボーナスまたはレギュラーボーナスに制御されていないときにおいて、ビッグボーナス（Ａ）〜（Ｃ）、レギュラーボーナスの何れかに当選した（他の役に同時当選した場合を含む）ときの他に、チェリーに当選したとき、及びリプレイＢに当選したとき（但し、既にビッグボーナス（Ａ）〜（Ｃ）、レギュラーボーナスに当選している場合を除く）に開始されるものとすることができる。
【手続補正３３】
【補正対象書類名】明細書
【補正対象項目名】０３９１
【補正方法】変更
【補正の内容】
【０３９１】
上記の実施の形態では、設定値を変更することによって遊技制御基板１０１のＲＡＭ１１２が初期化されるが、リールモータ３ＭＬ、３ＭＣ、３ＭＲをそれぞれ構成するステッピングモータのステップ数をカウントするためのカウンタの値だけは初期化されないものとしていた。これにより、設定値の変更後においてリール３Ｌ、３Ｃ、３Ｒが滑らかに回転開始できずに設定値の変更がされていることが遊技者に察知されてしまうということを防ぐものとしていた。